(57)【要約】【課題】従来の無機凝集剤に比べて汚濁物質除去性能が非常に高く、かつ汚濁物質に含まれる溶解性有機物を同時に凝集除去することができる排水処理用凝集剤及びその製造方法、及び排水処理方法を提供する。【解決手段】排水中で多価金属イオンを形成する多価金属と、酸化作用を有する分子若しくはイオンからなる分子種とが結合した物質を含み、排水中に含有される汚濁物質若しくは汚濁物質によって形成されるマトリックスの少なくとも一部を酸化分解して帯電化し、前記多価金属イオンを凝集核として前記汚濁物質を凝集させることを特徴とし、好適には前記酸化作用を有する分子種が、塩素系化合物であるとよい。【選択図】    図１
2005013857.tif 000002
【特許請求の範囲】
【請求項１】
排水中で多価金属イオンを形成する多価金属と、酸化作用を有する分子種とが結合した物質を含み、
排水中に含有される汚濁物質若しくは汚濁物質によって形成されるマトリックスを部分的に酸化分解して帯電化し、前記多価金属イオンを凝集核として前記汚濁物質を凝集させることを特徴とする排水処理用凝集剤。
【請求項２】
前記酸化作用を有する分子種が、塩素系化合物であることを特徴とする請求項１記載の排水処理用凝集剤。
【請求項３】
排水中で多価金属イオンを形成する多価金属を含む溶液と、酸化作用を有する分子種を含む溶液とを混合し、ｐＨを含む溶液条件を調整して前記多価金属と前記分子種とを化学反応させ合成して凝集剤を生成することを特徴とする排水処理用凝集剤の製造方法
【請求項４】
排水中で多価金属イオンを形成する多価金属を含む溶液を電気分解し、電極反応により発生した酸化作用を有する分子種と、前記多価金属とを化学反応させ合成して凝集剤を生成することを特徴とする排水処理用凝集剤の製造方法。
【請求項５】
前記酸化作用を有する分子種が、塩素系化合物であることを特徴とする請求項３若しくは４記載の排水処理用凝集剤の製造方法。
【請求項６】
汚濁物質を含有する排水から夾雑物を分離除去する前処理工程と、
排水中で多価金属イオンを形成する多価金属と、酸化作用を有する分子種とが結合した物質を含む凝集剤を用い、前記前処理後の排水中に含有される汚濁物質若しくは汚濁物質によって形成されるマトリックスを部分的に酸化分解して帯電化し、前記多価金属イオンを凝集核として前記汚濁物質を凝集する凝集工程と、
該凝集した汚濁物質を分離後の排水に生物処理を施す生物処理工程と、を含むことを特徴とする排水処理方法。
【発明の詳細な説明】
【０００１】
【発明の属する技術分野】
本発明は、し尿、畜産排水、埋立て排水、湖沼、下水、工場廃水等の排水に含有される汚濁物質を凝集除去して排水を浄化するための排水処理用凝集剤及び該凝集剤の製造方法、及び排水処理方法に関する。
【０００２】
【従来の技術】
従来の排水処理では、重力を利用する沈降分離法や凝集剤を用いる凝集沈殿法等による汚濁物質の除去が行われている。沈降分離法は重力を利用した方法で、経済的に成立する分離可能な最小の汚濁物質粒径は約５μｍであるが、沈降速度等を含む処理効率を考慮に入れると、一般には１０μｍ以上の大きさの懸濁物が除去対象となる。重力を用いた沈降分離は、沈降速度に対して流速を十分に遅くする必要があるため、沈降分離操作は長時間を要し、広大な設置面積を必要とする。
【０００３】
従って、粒子径が小さい汚濁物質を含有する排水の処理では凝集沈殿法を用いなければ機械的な分離ができない。かかる凝集沈殿法は、凝集剤の添加によって粒子同子を集塊させて粒子の沈降性を向上させる方法であり、沈降分離法では分離の難しいコロイド粒子等を除去することができる。通常、排水処理で対象とする懸濁物のほとんどは負の電荷を帯びており、懸濁物の粒子表面が相互に反発し合っているため安定な分散状態を保っている。凝集処理においては、これらの電荷を中和して懸濁物同士を衝突・凝集させるために、金属塩を有する無機凝集剤や有機高分子凝集剤が用いられている。
【０００４】
これらの凝集剤を利用した排水処理方法は、例えば特開平１０−５７９９９号公報（特許文献１）に記載されるように、まず汚泥及び汚水を二酸化塩素と接触させ、汚泥を形成しているマトリックスを分解して沈降分離した後に、分離した汚泥物質に凝集剤を添加して無機又は有機物質及び微生物体を凝集除去する方法などがある。尚、マトリックスとは排水中の無機物、有機物が物理的、化学的に結合し、３次元的構造をとったものである。
これにより、土砂、無機物質、有機物質及び微生物体などの種々の汚濁物質を含有する排水においても汚濁物質を容易に除去することが可能となる。
【０００５】
排水処理において無機凝集剤として用いられる金属塩は、ポリ塩化アルミニウム、硫酸アルミニウム等のアルミニウム塩、ポリ硫酸鉄、塩化鉄（ＩＩＩ）等の鉄塩、カルシウム塩、マグネシウム塩等であり、凝集剤としての作用はイオン価数が大きい程大きい（例えば特許文献２等）。
有機凝集剤として用いられる高分子凝集剤には、陰イオン性のアルギン酸ナトリウム、ポリアクリル酸ナトリウム、陽イオン性のポリエチレンイミン、非イオン性のポリアクリルアミド等がある。有機凝集剤の作用は、コロイド粒子の電荷中和作用の他に、粒子同子の橋かけ作用等がある（例えば特許文献３等）。
また、この他に排水中の溶解イオンと反応する薬剤を添加し、不溶性、あるいは難溶性の固形物を生成、沈殿させる方法がある。この方法は主に金属イオンを対象としており、水酸化物イオンと反応させる水酸化物法、硫黄化合物と反応させる硫化物法、鉄イオンと反応させるフェライト法等がある。
【０００６】
これらの凝集剤は各々特性が異なっているため、夫々の目的に適した凝集剤を選定する必要がある。即ち、処理目的に合致した処理水が得られること、フロックの大きさ、沈降特性が良好であること、薬剤の種類、量をともに最低に抑えてランニングコストを抑えること、薬剤の運搬、保存等が容易であること、残留した凝集剤が環境に悪影響を与えないこと、などの条件を満たす凝集剤を選択することが重要である。
し尿、畜産排水、埋立て排水、湖沼、下水、工場廃水等の排水の処理に適用する場合には処理量が多いため、凝集剤のコストが低く、広範囲の汚濁物質種類に適用することができる無機凝集剤が圧倒的に多く使用されている。
【０００７】
【特許文献１】
特開平１０−５７９９９号公報
【特許文献２】
特開２００２−７９００３公報
【特許文献３】
特開平１１−５７３１３号公報
【０００８】
【発明が解決しようとする課題】
前述したように、沈殿分離法や凝集沈殿法を用いる装置は、処理に要する時間が長く、処理装置の設置面積も大きいため、高速でコンパクトな沈殿処理方法の開発が求められている。また、重力を利用する沈降分離法で除去対象となるのは１０μｍ以上の大きさの懸濁粒子のみであり、凝集剤を用いる凝集沈殿法でもコロイド粒子の除去は可能であるが、いずれの方法においても排水のＣＯＤ（化学的酸素要求量；Ｃｈｅｍｉｃａｌ  Ｏｘｙｇｅｎ  Ｄｅｍａｎｄ）やＢＯＤ（生物学的酸素要求量；Ｂｉｏｌｏｇｉｃａｌ  Ｏｘｙｇｅｎ  Ｄｅｍａｎｄ）の原因となる溶解性有機物を沈殿除去することは困難である。
また、特許文献１では二酸化塩素と接触させることにより溶解性有機物を含む汚濁物質を分解除去する構成を主体としているが、二酸化塩素の分解機能のみでは汚濁物質を完全に除去するには不十分であるとともに、除去率を向上させるためには二酸化塩素を多量に投入しなければならず、薬剤のコストが高騰化し、さらに処理後の排水中に含有される二酸化塩素が環境に悪影響を及ぼすという問題点を有している。
【０００９】
無機凝集剤を始めとする凝集剤を用いる方法では、一般に凝集処理後に残存した溶解性有機物を生物処理や化学的酸化還元処理によって分解処理しているが、完全分解のためには多くのエネルギー、薬剤を投入する必要が有り、運転コストが増大する。また、吸着により処理することも可能であるが、高濃度の有機物が存在する場合は、短期間で吸着点が飽和するため、吸着材の再生、交換のためのコストが増大するという問題がある。
従って本発明はかかる従来技術の問題に鑑み、従来の無機凝集剤に比べて汚濁物質除去性能が非常に高く、かつ汚濁物質に含まれる溶解性有機物を同時に凝集除去することができる排水処理用凝集剤及びその製造方法を提供することを目的とする。
【００１０】
【課題を解決するための手段】
そこで、本発明はかかる課題を解決するために、
排水中で多価金属イオンを形成する多価金属と、酸化作用を有する分子種とが結合した物質を含み、
排水中に含有される汚濁物質（粒径１０μｍ以下の大きさのものを含む）若しくは汚濁物質によって形成されるマトリックスを部分的に酸化分解して帯電化し、前記多価金属イオンを凝集核として前記汚濁物質を凝集させることを特徴とする。
尚、汚濁物質とは、排水に含まれ“水の汚れ”の原因として認識されるもので、溶解性物質／不溶解性物質、有機物／無機物、分子・原子サイズ〜数十ｍｍの固形物（マトリックスを含む）、生物／非生物、単一物質／複合化合物等を含む。また、マトリックスとは排水中の無機物、有機物が物理的、化学的に結合し、３次元的構造を形成したものである。このとき、前記酸化作用を有する分子種が、塩素系化合物であることが好適である。
【００１１】
また、前記排水処理用凝集剤の製造方法に関する発明として、
排水中で多価金属イオンを形成する多価金属を含む溶液と、酸化作用を有する分子種を含む溶液とを混合し、ｐＨを含む溶液条件を調整して前記多価金属と前記分子種とを化学反応させ合成して凝集剤を生成することを特徴とする。
さらに別の製造方法として、排水中で多価金属イオンを形成する多価金属を含む溶液を電気分解し、電極反応により発生した酸化作用を有する分子種と、前記多価金属とを化学反応させ合成して凝集剤を生成することを特徴とする。
このとき、前記酸化作用を有する分子種が、塩素系化合物であることが好適である。
【００１２】
これらの発明によれば、汚濁物質の沈降速度を向上させることができるとともに、従来の凝集剤では達成できなかった大きさが１０μｍ以下の粒子、さらには溶解性有機物の凝集除去も可能とする。
本発明の凝集剤は、凝集核となる多価金属を含有するため、従来の無機凝集剤と同様に、この多価金属が排水中でイオン化し、金属イオンを介して排水中の負帯電粒子を集塊させ、沈降可能な大きさの粒子とすることが可能である。
本発明の凝集剤に含有される多価金属としては、Ｍｇ、Ｃａ、Ｂａ、Ｆｅ、Ｎｉ、Ｃｕ、Ｚｎ、Ａｌ等があげられるが、典型金属若しくは遷移金属に属し、多価イオンを生じる金属元素であればこれに限定されない。
【００１３】
また、本発明の凝集剤は、汚濁物質を酸化する作用を有している。この酸化作用は凝集剤分子内に含まれる酸化作用を有する分子若しくはイオンによるものであり、例えば酸化作用を有する塩素系化合物である、ＣｌＯ−、ＣｌＯ２−、ＣｌＯ３−、ＣｌＯ４−等があげられる。排水処理の次亜塩素酸系薬剤を用いる場合は、例えば酸化作用を有する分子種が塩素系化合物である場合、本発明の凝集剤の構造としては、Ｍｇ（ＯＨ）ｍ（ＣｌＯｘ）ｎ、Ｃａ（ＯＨ）ｍ（ＣｌＯｘ）ｎ、Ｂａ（ＯＨ）ｍ（ＣｌＯｘ）ｎ、Ｆｅ（ＯＨ）ｍ（ＣｌＯｘ）ｎ、Ｎｉ（ＯＨ）ｍ（ＣｌＯｘ）ｎ、Ｃｕ（ＯＨ）ｍ（ＣｌＯｘ）ｎ、Ｚｎ（ＯＨ）ｍ（ＣｌＯｘ）ｎ、Ａｌ（ＯＨ）ｍ（ＣｌＯｘ）ｎ等があげられる。（ｍ＝１，２，３…  ｎ＝１，２，３…  Ｘ＝１，２，３，４）
【００１４】
かかる発明における凝集剤の持つ酸化力は汚濁物質を完全分解するには不十分であるが、部分的に酸化することは可能であり、汚濁物質粒子を構成する化合物の分子内結合や官能基を酸化分解するので、粒子の負帯電が増強され、多価金属イオンと粒子の凝集が強固となることで、沈降性が改善される。
さらに本発明の凝集剤では、従来の沈殿法では除去することのできなかった糖類等、無帯電の物質やイオン化しない物質を部分的に酸化することにより、これらの物質を帯電化することができるので、溶解性有機物を凝集剤で凝集沈殿させることが可能となる。
【００１５】
また、かかる発明における凝集剤を用いた排水処理方法として、
汚濁物質を含有する排水から夾雑物を分離除去する前処理工程と、
排水中で多価金属イオンを形成する多価金属と、酸化作用を有する分子種とが結合した物質を含む凝集剤を用い、前記前処理後の排水中に含有される汚濁物質若しくは汚濁物質によって形成されるマトリックスを部分的に酸化分解して帯電化し、前記多価金属イオンを凝集核として前記汚濁物質を凝集する凝集工程と、該凝集した汚濁物質を分離後の排水に生物処理を施す生物処理工程と、を含むことを特徴とする。
このとき、前記生物処理にはメタン発酵等の嫌気性生物処理、活性汚泥処理、生物膜処理等の好気性生物処理などを用いることができる。かかる発明によれば、し尿、畜産排水、埋立て排水、湖沼、下水、工場廃水等の排水処理において、排水中の汚濁物質の除去率が向上し、処理水質の改善が図れる。
【００１６】
【発明の実施の形態】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の第１実施例に係る排水処理用凝集剤におけるＳＳ（浮遊懸濁物質）の凝集促進効果を説明する図、図２は本発明の第２実施例に係る排水処理用凝集剤におけるＳＳの凝集促進効果を説明する図、図３は本発明の第１実施例に係る排水処理用凝集剤における溶解性有機物の凝集促進効果を説明する図である。
【００１７】
本実施形態に係る排水処理用凝集剤は、主にし尿、畜産排水、埋立て排水、湖沼、下水、工場廃水等の排水における凝集処理に適しており、かかる凝集剤を利用した処理工程の前後に除渣スクリーン等の前処理、好気性生物処理、嫌気性生物処理等の後処理などの工程を組み合わせて用いることもできる。
本実施形態における排水処理用凝集剤は、排水中で多価金属イオンを形成する多価金属と、酸化作用を有する分子種とが結合した物質を含む構成となっている。前記多価金属イオンを形成する多価金属元素は、例えば、Ｍｇ、Ｃａ、Ｂａ、Ｆｅ、Ｎｉ、Ｃｕ、Ｚｎ、Ａｌ等があげられるが、典型金属若しくは遷移金属に属し、多価イオンを生じる金属元素であればこれに限定されない。
【００１８】
また、前記酸化作用を有する分子若しくはイオンなどの分子種は、好適にはＣｌＯ−、ＣｌＯ２−、ＣｌＯ３−、ＣｌＯ４−等を用いることができる。
かかる凝集剤の製造方法は、一例として前記多価金属を含む溶液と、前記酸化作用を有する分子種を含む溶液とを撹拌槽内で機械的撹拌により混合し、撹拌槽内に酸またはアルカリを添加してｐＨ調整を行い、また必要に応じて温度調整等を行ってｐＨを含む溶液条件を調整して前記多価金属と前記分子種とを化学反応させて合成し、凝集剤を製造する。
【００１９】
さらに別の製造方法として、排水中で多価金属イオンを形成する多価金属を含む溶液を電気分解し、電極反応により発生した酸化作用を有する分子種と、前記多価金属とを化学反応させ合成して凝集剤を生成する方法も利用できる。
排水処理の一過程に凝集処理が組み込まれる場合、前記製造方法を利用することでオンサイトでの製造が可能となり、また排水処理後段において殺菌、消毒処理に利用される次亜塩素酸系薬剤を酸化作用を有する分子種として利用することにより、かかる凝集剤を容易に製造することができ需要に即した供給が可能となる。
【００２０】
これらの多価金属及び分子種により形成される凝集剤の代表的な構造は、Ｍｇ（ＯＨ）ｍ（ＣｌＯｘ）ｎ、Ｃａ（ＯＨ）ｍ（ＣｌＯｘ）ｎ、Ｂａ（ＯＨ）ｍ（ＣｌＯｘ）ｎ、Ｆｅ（ＯＨ）ｍ（ＣｌＯｘ）ｎ、Ｎｉ（ＯＨ）ｍ（ＣｌＯｘ）ｎ、Ｃｕ（ＯＨ）ｍ（ＣｌＯｘ）ｎ、Ｚｎ（ＯＨ）ｍ（ＣｌＯｘ）ｎ、Ａｌ（ＯＨ）ｍ（ＣｌＯｘ）ｎ等が挙げられる。（ｍ＝１，２，３…  ｎ＝１，２，３…  Ｘ＝１，２，３，４）
該凝集剤を用いる排水処理では、凝集装置と沈殿槽、若しくは凝集装置とろ過装置を直列に配設した処理システムでも良いし、凝集沈殿槽などのように一つの装置で汚濁物質の分離除去を行っても良い。
【００２１】
凝集処理においては、ＳＳ（浮遊懸濁物質）、溶解性有機物等の汚濁物質を含有する排水に前記凝集剤を所定量投入すると、該凝集剤は多価金属イオンと酸化作用を有する分子若しくはイオンからなる分子種に解離し、まず該分子種が前記汚濁物質若しくは汚濁物質によって形成されるマトリックスを部分的に酸化し、改質する。尚、汚濁物質とは、排水に含まれ“水の汚れ”の原因として認識されるもので、溶解性物質／不溶解性物質、有機物／無機物、分子・原子サイズ〜数十ｍｍの固形物（マトリックスを含む）、生物／非生物、単一物質／複合化合物等を含む。また、マトリックスとは排水中の無機物、有機物が物理的、化学的に結合し、３次元的構造を形成したものである。
【００２２】
前記分子種は前記汚濁物質を構成する化合物の分子内結合や官能基を酸化分解するので、汚濁物質粒子の負帯電が増強される。そして、前記凝集剤のうちの多価金属イオンと前記汚濁物質粒子との粒子間引力が表面荷電による反発力を上回るようになり、該多価金属イオンを凝集核として凝集が起こる。このとき、前記汚濁物質粒子の負帯電が増強されているため、多価金属イオンと粒子との凝集が強固となり、沈降性が大幅に改善される。
これによりかかる凝集剤は、従来の沈殿法では除去することのできなかった糖類等、無帯電の物質やイオン化しない物質を部分的に酸化することにより、これらの物質を帯電化することができるので、溶解性有機物を凝集剤で凝集沈殿させることが可能となる。
【００２３】
【実施例】
（実施例１）
市販の凝集剤であるポリ塩化アルミニウム（以下ＰＡＣと省略する）（Ａｌ２Ｏ３：１０％相当）１．５ｍｌを水道水３００ｍｌに添加し、さらにこの液の最終有効塩素量が１０００ｍｇ−Ｃｌ／Ｌとなるように次亜塩素酸ナトリウム溶液（試薬特級）３．４ｍｌを添加し、フロック状の凝集物を生成させた。
この凝集フロックは、水酸化アルミニウムＡｌ（ＯＨ）３及び水酸化アルミニウムと次亜塩素酸イオン（ＣｌＯ−）の化合物であるＡｌ（ＯＨ）ｍ（ＣｌＯ）ｎ（ｍ＝１，２，３  ｎ＝１，２，３）で構成される。
ＳＳ（浮遊懸濁物質）１０００ｍｇ／Ｌを含むし尿７００ｍｌを１Ｌメスシリンダーにとり、上記の凝集フロックを含む溶液３００ｍｌをに添加、混合した後、静置し、凝集物の沈降の様子を観察した。
【００２４】
比較例として、水道水３００ｍｌ、水道水３００ｍｌにＰＡＣ１．５ｍｌを添加した液及び水道水３００ｍｌに次亜塩素酸ナトリウム溶液（試薬特級）３．４ｍｌを添加した液の３種類を夫々し尿７００ｍｌに添加し、同様に沈降の様子を観察した。
図１は、懸濁物の凝集物が沈降することによって生じた界面と上澄液の境界の高さを経時的に観察した結果を図示したものである。
図１の結果から明らかなように、本実施例１の凝集剤を用いた場合、ＰＡＣを単独で用いた時と比較して界面高さの減少速度即ち凝集物の沈降速度が速くなっており、多価金属イオンと酸化能力を有する凝集剤を用いることにより汚濁物質の凝集作用が促進されたことがわかる。
【００２５】
（実施例２）
ＰＡＣ１．５ｍｌをＣａ：２００ｍｇ／Ｌ及びＭｇ：６００ｍｇ／Ｌを添加した水道水３００ｍｌに添加し、さらにこの液の最終有効塩素量が１０００ｍｇ−Ｃｌ／Ｌとなるように次亜塩素酸ナトリウム溶液（試薬特級）３．４ｍｌを添加し、フロック状の凝集物を生成させた。
この凝集フロックは、水酸化アルミニウムＡｌ（ＯＨ）３、水酸化カルシウムＣａ（ＯＨ）２及び水酸化マグネシウムＭｇ（ＯＨ）２を含み、さらに、水酸化アルミニウム、水酸化カルシウム、水酸化マグネシウムと次亜塩素酸イオン（ＣｌＯ−）の化合物であるＡｌ（ＯＨ）ｍ（ＣｌＯ）ｎ、Ｃａ（ＯＨ）ｍ（ＣｌＯ）ｎ及びＭｇ（ＯＨ）ｍ（ＣｌＯ）ｎ（ｍ＝１、２、３、ｎ＝１、２、３）で構成される。
【００２６】
ＳＳ（浮遊懸濁物質）１０００ｍｇ／Ｌを含むし尿７００ｍｌを１Ｌメスシリンダーにとり、上記の凝集フロックを含む溶液３００ｍｌに添加、混合した後、静置し、凝集物の沈降の様子を観察した。
比較例として、実施例１の水道水３００ｍｌ、ＰＡＣ１．５ｍｌ及び次亜塩素酸ナトリウム溶液３．４ｍｌを添加した液をし尿７００ｍｌに添加し、同様に沈降の様子を観察した。
図２は、懸濁物の凝集物が沈降することによって生じた界面と上澄液の境界の高さを経時的に観察した結果を図示したものである。
図２の結果から明らかなように、本実施例の凝集剤を用いた場合、実施例１で作成した凝集剤と比較して界面高さの減少速度即ち凝集物の沈降速度が速くなっており、カルシウム及びマグネシウムがアルミニウムと同様に凝集核として作用し得ることが示された。
【００２７】
（実施例３）
ＰＡＣ１．５ｍｌを水道水３００ｍｌに添加し、さらにこの液の最終有効塩素量が１０００ｍｇ−Ｃｌ／Ｌとなるように次亜塩素酸ナトリウム溶液（試薬特級）３．４ｍｌを添加し、フロック状の凝集物を生成させた。
この凝集フロックは、水酸化アルミニウムＡｌ（ＯＨ）３及び水酸化アルミニウムと次亜塩素酸イオン（ＣｌＯ−）の化合物であるＡｌ（ＯＨ）ｍ（ＣｌＯ）ｎ（ｍ＝１、２、３、ｎ＝１、２、３）で構成される。
スクロース７５０ｍｇ−Ｃ／Ｌを含む蒸留水７００ｍｌに、上記の凝集フロックを含む溶液３００ｍｌをに添加、混合した後、静置し、凝集物が沈降した後、上澄の全有機炭素濃度（ＴＯＣ）をＴＯＣ計で測定した。
【００２８】
比較例として、水道水３００ｍｌ、水道水３００ｍｌにＰＡＣ１．５ｍｌを添加した液及び水道水３００ｍｌに次亜塩素酸ナトリウム溶液（試薬特級）３．４ｍｌを添加した液の３種類を夫々上記のスクロース溶液７００ｍｌに添加し、同様に沈降後の上澄のＴＯＣを測定した。
図３は、上澄液中のＴＯＣの測定結果を図示したものである。
図３の結果から明らかなように、本実施例の凝集剤を用いた場合、溶解性有機物であるスクロースが減少しており、多価金属イオンと酸化能力を有する凝集剤を用いることにより溶解性有機物を凝集除去できることがわかる。
【００２９】
【発明の効果】
以上記載のごとく本発明によれば、凝集沈殿装置のＳＳ除去性能を向上させるとともに溶解性有機物を凝集除去することが可能となる。
即ち、かかる発明の凝集剤の持つ酸化力は汚濁物質を完全分解するには不十分であるが、部分的に酸化することは可能であり、汚濁物質粒子を構成する化合物の分子内結合や官能基を酸化分解するので、粒子の負帯電が増強され、多価金属イオンと粒子の凝集が強固となることで、沈降性が改善される。
さらに本発明の凝集剤は、従来の沈殿法では除去することのできなかった糖類等、無帯電の物質やイオン化しない物質を部分的に酸化することにより、これらの物質を帯電化することができるので、溶解性有機物を凝集剤で凝集沈殿させることが可能となる。
【図面の簡単な説明】
【図１】本発明の第１実施例に係る排水処理用凝集剤におけるＳＳの凝集促進効果を説明する図である。
【図２】本発明の第２実施例に係る排水処理用凝集剤におけるＳＳの凝集促進効果を説明する図である。
【図３】本発明の第１実施例に係る排水処理用凝集剤における溶解性有機物の凝集促進効果を説明する図である。
【図１】
2005013857.tif 000003
【図２】
2005013857.tif 000004
【図３】
2005013857.tif 000005